(57)【要約】【課題】  従来の理美容椅子にあっては、前記したように２つのシリンダを使用して座部の前後動と背凭れの起伏を行なっているので、部品点数が多くなり製造コストが高くなり、また、２つのシリンダによって座部の移動量と背凭れの起伏度が別々であるので、被施術者の身長の違いによる位置合わせをするための操作が複雑になるといった問題があった。【解決手段】  油圧シリンダ等の１つの駆動源７によって平行リンク１ｂ，２，３を変位させることにより、該平行リンクに取付けられた座部４をシャンプーボールＢ側に向かって上昇すると共に前記平行リンクに起伏可能に支持された背凭れ１１も伏倒され、かつ、該背凭れは所定の位置まで伏倒させると伏倒が停止されて前記座部と共に前記シャンプーボールのネック受けＢ１側に所定位置まで近接して停止される理美容用シャンプー椅子である。【選択図】        図２
2006288517.tif 000002
【特許請求の範囲】
【請求項１】
油圧シリンダ等の１つの駆動源によって平行リンクを変位させることにより、該平行リンクに取付けられた座部をシャンプーボール側に向かって上昇すると共に前記平行リンクに起伏可能に支持された背凭れも伏倒され、かつ、該背凭れは所定の位置まで伏倒させると伏倒が停止されて前記座部と共に前記シャンプーボールのネック受け側に所定位置まで近接して停止されることを特徴とする理美容用シャンプー椅子。
【請求項２】
前記背凭れの先端が前記シャンプーボールのネック受けに対して所定位置まで近接して停止した状態において、背凭れのみをさらに起伏可能としたことを特徴とする請求項１記載の理美容用シャンプー椅子。
【請求項３】
油圧シリンダ等の１つの駆動源と、該駆動源によって平行移動する平行リンクと、該平行リンクに取付けられた座部と、前記平行リンクに対して回動自在に取付けられた背凭れと、該背凭れの伏倒初期状態において移動が阻止され伏倒の停止状態において移動可能な摺動板と、前記背凭れが所望量だけ伏倒すると先端が駒に当接して停止する調節杆とから構成し、該調節杆がストッパ部材に当接することにより前記摺動板が伸長されて前記背凭れの先端がさらにシャンプーボールのネック受け側に向かって移動することを特徴とする理美容用シャンプー椅子。
【請求項４】
前記調整杆は前記背凭れが伏倒を開始すると変位し、該伏倒が所望量行なわれると先端が偏心した前記ストッパ部材である駒に当接し、該駒をハンドル操作によって回転することで前記偏心した量に応じて背凭れをさらに起伏可能とすることで微調整が可能としたことを特徴とする請求項３記載の理美容用シャンプー椅子。
【発明の詳細な説明】
【技術分野】
【０００１】
本発明は理美容用椅子、特に、理美容院において施術者が洗髪サービスを行う際に、被施術者を着座させた後にバックシャンプーの姿勢を取らせる洗髪用椅子として好適な理美容用シャンプー椅子に関する。
【背景技術】
【０００２】
従来におけるバックシャンプー用の椅子としては、本出願人会社が出願した特開２００４−２２８４５６の理美容用椅子がある。この発明は、着座している被施術者をシャンプーボール側に移動させながら背凭れを徐々に伏倒させることで被施術者の首後ろをシャンプーボールのネック受けに支持させるものである。そして、この発明にあっては、座部の移動用シリンダと背凭れの起伏用シリンダの２つを用いて行なっているものである。
【特許文献１】特開２００４−６５５０７
【発明の開示】
【発明が解決しようとする課題】
【０００３】
ところて、前記した理美容椅子にあっては、前記したように２つのシリンダを使用して座部の前後動と背凭れの起伏を行なっているので、部品点数が多くなり製造コストが高くなり、また、座部の移動量と背凭れの起伏度の調整を個別の油圧シリンダによって行なっているので、被施術者の身長の違いによる位置合わせをするための操作が複雑になるといった問題があった。
【０００４】
本発明は前記した問題点を解決せんとするもので、その目的とするところは、１本のシリンダで座部の移動および昇降と背凭れの起伏動作を行なうようにしたので、シャンプー椅子としての構造が簡易となり、また、組み立て時の工数の削減によってコストの低減を図ることができ、また、背凭れの寝角度を微調整することができるので、被施術者の首後ろ部分をシャンプーボールのネック受けにフィットさせることができる理美容用シャンプー椅子を提供せんとするにある。
【課題を解決するための手段】
【０００５】
本発明の理美容用椅子シャンプー椅子は前記した目的を達成せんとするもので、請求項１の手段は、油圧シリンダ等の１つの駆動源によって平行リンクを変位させることにより、該平行リンクに取付けられた座部をシャンプーボール側に向かって上昇すると共に前記平行リンクに起伏可能に支持された背凭れも伏倒され、かつ、該背凭れは所定の位置まで伏倒させると伏倒が停止されて前記座部と共に前記シャンプーボールのネック受け側に所定位置まで近接して停止されることを特徴とする。
【０００６】
請求項２の手段は、前記した請求項１において、前記背凭れの先端が前記シャンプーボールのネック受けに対して所定位置まで近接して停止した状態において、背凭れのみをさらに起伏可能としたことを特徴とする。
【０００７】
請求項３の手段は、前油圧シリンダ等の１つの駆動源と、該駆動源によって平行移動する平行リンクと、該平行リンクに取付けられた座部と、前記平行リンクに対して回動自在に取付けられた背凭れと、該背凭れの伏倒初期状態において移動が阻止され伏倒の停止状態において移動可能な摺動板と、前記背凭れが所望量だけ伏倒すると先端がストッパ部材に当接して停止する調節杆とから構成し、該調節杆が駒に当接することにより前記摺動板が伸長されて前記背凭れの先端がさらにシャンプーボールのネック受け側に向かって移動することを特徴とする。
【０００８】
請求項４の手段は、前記した請求項３において、前記調整杆は前記背凭れが伏倒を開始すると変位し、該伏倒が所望量行なわれると先端が偏心した前記ストッパ部材である駒に当接し、該駒をハンドル操作によって回転することで前記偏心した量に応じて背凭れをさらに起伏可能とすることで微調整が可能としたことを特徴とする。
【発明の効果】
【０００９】
本発明は前記したように、１つの駆動源によって平行リンクを変位させ座部の上昇とシャンプーボール側への移動を行なわせると共に背凭れを所望量伏倒させることで、着座している被施術者の首後ろ部分をシャンプーボールのネック受けに支持させることができるので操作性が良く、構造が簡易となり組み立て時の工数の削減によってコストの低減を図ることができる。
【００１０】
また、ハンドルを回転することで背凭れをさらに伏倒させる微調整が可能なので、首後ろ部分をシャンプーボールのネック受けにフィットさせることができる等の効果を有するものである。
【発明を実施するための最良の形態】
【００１１】
本発明は、油圧シリンダ等の１つの駆動源によって平行リンクを変位させて、該平行リンクに取付けられた座部をシャンプーボール側に向かって上昇させながら移動させると共に同じく平行リンクに取付けられた背凭れを所望量伏倒させるようにしたものである。
【実施例】
【００１２】
以下、本発明に係る理美容用シャンプー椅子の一実施例を図面と共に説明する。
Ａは本発明に係る理美容用シャンプー椅子、Ｂは該シャンプー椅子の背面側に設置されたシャンプーボールにして、シャンプー椅子Ａに着座した被施術者が伏倒した位置において、該被施術者の首後ろ部分を支持するネック受けＢ１が形成されている。
【００１３】
次に、理美容用シャンプー椅子の詳細について説明するに、１は四角形状に形成された左右一対の基台にして、四隅には水平状態を維持するための高さ調整脚１ａが取付けられている。２は基台１の上桟１ｂに回動自在に軸支された一対の垂下アームにして、該垂下アーム２の下端には水平アーム３が同じく回動自在に軸支されている。そして、基台１の上桟１ｂと水平アーム３および垂下アーム２とによって平行リンクが形成されている。なお、前記一対の基台１には図示していないが外側が体裁を良くするために革や合成皮革を被せた枠体で覆われている。
【００１４】
４は前記水平アーム３の上面にネジ止め固定された座部にして、上面には図示していないがクッション材が取付けられる。また、水平アーム３には足載せ台５を取付けるためのクランク状の固定部材６が取付けられている。７はシリンダ側が前記基台１に取付けられた取付金具１ｃに軸支された油圧シリンダにして、ラム側は前記垂直アーム２から突出した固定ピン２ａに一端が固定された連結板８の他端に軸支されている。なお、駆動源としては油圧シリンダに限定されるものではなく、モータとネジ棒からなるもの、あるいは、エアシリンダであってもよい。
【００１５】
９は一端が前記取付金具１ｃに軸支された鞘にして、該鞘９には摺動板１０が摺動自在に嵌挿されている。１１は背凭れにして、該背凭れ１１の背凭れ基板１１ａには逆への字状の固定板１１ｂが固定され、該固定板１１ｂの折曲部には固定軸１１ｃが突設され、該固定軸１１ｃには一端が前記固定ピン２ａに固定された支持板１２の他端が回転自在に軸支されている。従って、背凭れ基板１１ａは支持板１２に対して回転可能となっている。また、前記固定板１１ｂの折曲片部１１ｂ１の先端には前記摺動板１０の先端が軸支されている。
【００１６】
１３は前記固定軸１１ｃに固定された固定板１４に一端が接続された調整杆にして、先端側は前記背凭れ基板１１ａの裏面側に固定されたパイプ１５内に挿通されている。１６は前記背凭れ基板１１ａの裏面側に回転自在に軸支された回転パーにして、一端は背凭れ１１の側面から突出され、該突出された部分にハンドル１６ａが取付けられている。そして、前記回転バー１６の前記挑戦杆１３の上端と対向する位置には図７に示す偏心した多角形状の駒１７が取付けられている。
【００１７】
この駒１７は図７ａに示すような四角形の場合には２つの面で調整杆１３の先端が当接し、また、図７ｂの場合には３つの面で調整杆１３の先端が当接し、さらに、図示していないが楕円形状とすることで無段階的に調整杆１３の先端が当接することになる。これにより、後に詳述するように背凭れ１１が伏倒角度を微調整することが可能となる。
【００１８】
１８は前記回転バー１６に固定されたスプリングを引っ掛けるための引掛部材、１９は一端が前記固定板１４に引っ掛けられ、他端が前記スプリング引掛部材に引っ掛けられたスプリングである。そして、前記引掛部材１８はハンドルを初期位置（図１〜図５に示す位置）に戻した時に、前記調整杆１３の先端と対向する位置が偏心軸より最も間隔が長くなる駒１７の面となるように回転パー１６に固定されている。なお、２０は背凭れ基板１１ａに開口されたクッションの空気抜き孔である。
【００１９】
次に、前記した構成に基づいて動作を説明するに、図１、図２に示す被施術者の導入状態にあっては、油圧シリンダ７のラムはシリンダ内に収納された状態であるため、座部４は前方に位置し、また、背凭れ１１は起立状態となっている。
【００２０】
この状態において、被施術者を座部４に着座させシャンプーを行なう場合には、図示しないシャンプーを行なうための操作スイッチを操作すると、油圧シリンダ７内に油が供給されてロッドが伸び始める。ロッドが伸びると連結板８を介して平行リンクの一方の垂下アーム２が図において左方向に押されるので、座部４と背凭れ１１は水平に保たれた状態で左方向（シャンプーボールＢ側）に移動しながら上昇する。
【００２１】
この移動時において、背凭れ１１は、背凭れ１１の自重と被施術者の背凭れに対する寄り掛かり重量によって反時計方向の荷重が加わるので、摺動板１０は鞘９内に収納された状態を維持しながら伏倒される。また、背凭れ１１が伏倒を開始すると一端が固定板１４に軸支されている調節杆１３が背凭れ基板１１ａの回転軸である固定軸１１ｃとパイプ１５との偏差によって背凭れ基板１１ａが所定の角度まで伏倒すると、調節杆１３がパイプ１５内を移動して先端が駒１７に当接する。従って、この状態において背凭れ１１の伏倒は停止する（図３参照）。
【００２２】
しかし、背凭れ１１の伏倒が停止しても油圧シリンダ７によるラムの突出は行なわれ、平行リンクの上昇と右方向への移動を続けられる。この状態において、摺動板１０は鞘９に対して引き抜かれる方向に移動するので、さらなる座部４と背凭れ１１の斜め上方への移動は行なわれる。そして、施術者が被施術者のシャンプーボールＢに対する位置が良いと判断してスイッチをオフにすると、全ての動作は終了し、被施術者の首後ろ部がシャンプーボールＢのネック受けＢ１に一致した状態となる（図４参照）。
【００２３】
この状態において、ネック受け部Ｂ１に対して被施術者の首後ろ部分が高い場合には、ハンドル１６ａをスプリング１９のバネ力に抗して回転して、回転バー１６の中心線から距離が短い面が調節杆１３の先端と対向するように駒１７を回転させることで、背凭れ１１はさらに伏倒するので被施術者の首後ろ部分とネック受けＢ１とはフィットすることとなる。なお、駒１７の形状を図７に示すように変えることで、背凭れ１１の微調整を複数段階あるいは無段階に変更することが可能である（図５、図６参照）。
【００２４】
また、被施術者の座高が高く前記ハンドル１６ａによって背凭れ１１の寝角度が高い場合には、復帰用のスイッチを操作してシリンダ７内の油を抜きながら平行リンクを前記したとは反対方向に変位させることで、背凭れ１１は座部４と共にシャンプーボールＢから離れる方向に移動するので、この調整を行なうことで被施術者の首後ろ部をネック受けＢ１に一致させることができる。
【００２５】
次に、被施術者のシャンプーが終了した場合の動作について説明するに、復帰用のスイッチを操作することで、油圧シリンダ７のラムがシリンダ内に収納されるので平行リンクは前記したとは反対の方向に変位して座部４は右方向に下降しながら移動すると共に背凭れ１１は起立して初期の状態となる。
【００２６】
また、初期の位置に復帰した状態においては、調節杆１３は下降して駒１７から離れているので、被施術者が座部４から離れるとスプリング１９のバネ力によってハンドル１６ａは初期位置に戻り、従って、駒１７も初期位置に戻るものである。
【図面の簡単な説明】
【００２７】
【図１】本発明に係る理美容用シャンプー椅子の初期状態を示す背凭れ側から見た背面図である。
【図２】同上の側面図である。
【図３】座部の上昇移動と背凭れの伏倒途中の側面図である。
【図４】座部と背凭れが停止した状態の側面図である。
【図５】背凭れを微調整した状態の側面図である。
【図６】同上の背凭れ側から見た背面図である。
【図７】駒と調整杆との関係を示し、（ａ）は駒が四角形の場合の側面図、（ｂ）駒が六角形の場合の側面図である。
【符号の説明】
【００２８】
１            基台
１ｂ，２，３  平行リンク構成部材
４            座部
７            油圧シリンダ
１０          摺動板
１１          背凭れ
１３          調整杆
１６ａ        ハンドル
１７          駒
【図１】
2006288517.tif 000003
【図２】
2006288517.tif 000004
【図３】
2006288517.tif 000005
【図４】
2006288517.tif 000006
【図５】
2006288517.tif 000007
【図６】
2006288517.tif 000008
【図７】
2006288517.tif 000009